(57)【要約】      （修正有）【課題】デジタルカメラや携帯電話、スマートフォンを用いて、そのカメラ等のモニターを通して観測したり、そのまま写真が写せるような装置を提供する。【解決手段】望遠鏡などの接眼部に取り付けるための固定枠と、これに繋がる自由に動く稼働アームと、さらに携帯電話等を載せる台とを具備する。【選択図】図２
2015064524.tif 000002
【特許請求の範囲】
【請求項１】
望遠鏡などの接眼部に本発明を取り付けるための固定
ネジを備えた固定枠と、固定枠に繋がった自由に動くアームと、
さらに携帯電話等を載せる台とを具備することを特徴とするアダ
プター。
【請求項２】
請求項１のアダプターにおいて、携帯電話等を載せる台がＬ字型をしており、その底部と縦の面の２箇所に光軸修正ネジを具備し、底部の側面にはヘリと押さえスプリングを具備することを特徴とするアダプター。
【請求項３】
請求項１と２のアダプターにおいて、自由に動く稼働
アームと光軸修正ネジによって、望遠鏡などの接眼部と台に固定
された携帯電話等の位置を調整できることを特徴とするアダプター。
【請求項４】
請求項１のアダプターにおいて、望遠鏡などの接眼部に取り付けるための固定枠の内部に薄い板状のスプリングを具備することを特徴とするアダプター。
【請求項５】
請求項の２，３のアダプターにおいて、光軸修正ネジ
の摘みでない方の端に板片などを具備することを特徴とするアダプター。
【発明の詳細な説明】
【技術分野】
【０００１】
本発明は、望遠鏡やフィルドスコープさらには顕微                                                                              
鏡に対しても、携帯電話やスマートフォンの装着を可能にするア
ダプターに関するものである。
【背景技術】
【０００２】
従来のカメラアダプターは、その多くが特開２００９              
−４８０４８のように望遠鏡の接眼部にカメラを直接接続したり、            
特開平１１−１３３３１０のように顕微鏡の接眼部にカメラを取
り付けたりするものであった。
また、近年デジタルカメラの普及に伴って、特開２００３−２７
７９３のようにデジタルカメラに対応する方法も発明された。
【特許文献１】特開２００９−４８０４８
【特許文献２】特開平１１−１３３３１０
【特許文献３】特開２００３−２７７９３
【発明の概要】
【発明が解決しようとする課題】
【０００３】
本発明は、現在普及しているデジタルカメラや携帯
電話、スマートフォンの機種を問わず、容易に望遠鏡やフィー
ールドスコープに顕微鏡に取り付け出来て、そのカメラ等の画
面を通して望遠鏡などがつくる像が見れ、さらにその写真をも
取ることを可能にするものである。
【課題を解決するための手段】
【０００４】
本発明は、望遠鏡などの接眼部に本発明を取り付け
るための固定枠を持ち、この固定枠に付随する固定ネジによっ
て接眼部への取り付け、取り外しが可能になっている。
また、この固定枠には自由に動く稼働アームが具備されてお
り、携帯電話等を載せる台が自由に動かせるようになっている。
【０００５】
携帯電話を載せる台は、縦横の２方面から携帯電話等を固定するためにＬ字型をしており、底部の側面にはヘリや押さえスプリングを具備している。
さらに、このＬ字型の底部と縦の面には携帯電話等の位置を
微妙に加減して光軸を修正するために２箇所に光軸修正ネジを
具備している。
【０００６】
携帯電話等はこれらを載せる台に固定された状態
で自由に動く稼働アームによって適当な位置に移動出き、さら
に光軸修正ネジによって正確にその位置を決める。
【０００７】
望遠鏡などの接眼部に取り付けるための固定ネジ
は、固定枠の内側に薄い板のスプリングを具備しているので、                    これによって接眼部に固定することになる。
【０００８】
光軸修正ネジの摘みでない方の端には板片などが具
備されており、直接  ネジが携帯電話に触らずに、板片によって
間接的に動かすことになる。
【発明の効果】
【０００９】
望遠鏡などの接眼部に取り付けるための固定ネジを
備えた固定枠と、自由に動く稼働アーム、さらに携帯電話等を
載せる台との３つを具備することによって、容易に望遠鏡など            と携帯電話等を接続一体化することが可能となる。
ところで、デジタルカメラや携帯電話、スマートフォンのカメラ部については、機種によってその位置が一定していない。実際、デジタルカメラのレンズはほぼ中央にあるのに対し、携帯
電話の場合は折り曲げ部分の方にあるものの、その位置は上下
で一定していない。そこで、自由に動くアームを具備するこ                      とによって、望遠鏡などの接眼部とカメラ等のレンズの位置を正しく対応させるという困難が一挙に解消される。
また、この一体化によって、従来接眼部を覗き込んで像を見
ていたのが、カメラのモニターを通して像が見られるようにな
り、複数の人によって同時に観察出来るようになる。
【００１０】
携帯電話等を載せる台は、これらを固定しやすい
よう、いわば端に携帯電話を寄せる意味でＬ字型をしている。
ところで、現在市販されているデジタルカメラや携帯電話な
どは極めて薄い形状である。そこで、Ｌ字型の台の側面にはへ
リや押さえスプリングを具備しており、この２つによって両方
の側から携帯電話等を挟み込んで台からこれらが落ちないよう
にさらに固定度を高めている。
Ｌ字型をなす底部と縦の面には携帯電話等の位置を微妙に加
減して光軸を修正するための光軸修正ネジをそれぞれ具備する
。
【００１１】
自由に動くことのできる稼働アームは、携帯電話等
が適切な位置まで移動すると、その位置からずれないようにネ
ジなどによって固定される。その後、必要な場合には光軸修正
がなされる。
【００１２】
固定枠の内側に薄い板状のスプリング等を具備する    ことによって、固定ネジの先端の一点で接眼部に固定するのではなく、幅広い面でもって固定することになる。
また、この方法により接眼部は傷つくことがない。
【００１３】
光軸修正ネジの摘みでない方の端にも板片を具備
する。これも携帯電話等を傷つけない理由である。                  
【図面の簡単な説明】
【００１４】
【図１】本発明の概略図
【図２】本発明を使って望遠鏡に携帯電話を固定した図
【図３】固定枠の概略図
【図４】底部にある光軸修正ネジと板片との概略図
【発明を実施するための形態】
【実施例】
【００１５】
発明の実施の形態について、図面を見ながら説明
する。図１は、本発明の概略図である。
固定ネジ４を具備した固定枠１によって、この部分が望遠鏡や
フィールドスコープ、顕微鏡の接眼部に取り付けられる。
固定枠１の端には自由に動く稼働アーム２が繋がっており、
これによって携帯電話等を載せる台３を適当な位置に容易に動
かすことが出来る。
携帯電話等を載せる台３は、Ｌ字型をしている。この底部
と縦の面に携帯電話等を寄せることで安定感を得る。
さらに、底部の側面にはヘリ９と押さえスプリング７があっ
て、この２つによって携帯電話等を挟み込んでいっそう安定
する。
光軸修正ネジ５，６を具備しているので、これを利用して
微妙な光軸修正をすることが出来る。
【００１６】
図２は、望遠鏡に本発明を使って携帯電話を固定し
た状態図である。
従来のように接眼レンズを覗き込まなくても、カメラのモニ
ターによってその像を複数の人間でみることが可能となる。
【００１７】
図３は、固定枠の様子を表したものである。
固定ネジ４によって接眼部に取り付けられるのであるが、固定
ネジ４が直接接眼部を締め付けるのではなく薄い板状のスプリ            ング１０を通じて締め付ける様子を示している。
図４は、携帯電話等を載せる台３の底部にある光軸修正ネジ
６を表す。ネジの先端に板片８があり、これによって携帯電話
等を押して光軸修正を行う。光軸修正ネジ５も同様の機構であ
る。
【産業上の利用可能性】
【００１８】
本発明は、その対象を望遠鏡などの接眼部にしてい
るが、固定枠が挟む対象はこれに限らない。特開２００７−２
５６５４のように、ネジ等がない杖やストック等に対しても利
用することが出来る。しかも自由に動く稼働アームを利用すれ    
ば、どのようなアングルも可能になる。さらに、携帯電話等を
載せる台３は、携帯電話等が安定すれば形状にこだわらない。
【符号の説明】
【００１９】
１            固定枠
２            自由に動く稼働アーム
３            携帯電話等を載せる台
４            固定ネジ
５          横方向光軸修正ネジ                              ６            縦方向光軸修正ネジ
７          押さえスプリング
８          板片
９          ヘリ
１０          薄い板状のスプリング
【図１】
2015064524.tif 000003
【図２】
2015064524.tif 000004
【図３】
2015064524.tif 000005
【図４】
2015064524.tif 000006